(57)【特許請求の範囲】
【請求項１】
主搬送路に沿って媒体を搬送する搬送部と、
前記搬送部の一部でなり、前記主搬送路上に設けられた接続箇所を含む装着部と、
前記装着部に装着された場合に、当該装着部における前記主搬送路を形成する固定ガイドと、
前記固定ガイドに代えて前記装着部に装着された場合に、当該装着部における前記主搬送路の少なくとも一部を形成すると共に、前記媒体を収納する追加収納庫と、前記接続箇所及び前記追加収納庫の間で前記媒体を搬送する追加搬送路と、前記接続箇所において前記媒体の搬送経路を前記主搬送路側又は前記追加搬送路側に切り替える切替器とを追加する追加ユニットと
を具えることを特徴とする媒体搬送装置。
【請求項２】
前記搬送部は、前記追加搬送路の一部を具え、
前記固定ガイドは、前記媒体の前記追加搬送路への進行を抑制する固定搬送ガイドを具える
ことを特徴とする請求項１に記載の媒体搬送装置。
【請求項３】
前記追加ユニットは、前記追加搬送路に沿って配置された追加搬送ローラを具え、
前記搬送部は、前記追加搬送路に沿って配置され、前記装着部に前記追加ユニットが装着された場合に、前記追加搬送ローラとの間に前記媒体を挟持して当該媒体に駆動力を伝達する切替搬送ローラをさらに具える
ことを特徴とする請求項２に記載の媒体搬送装置。
【請求項４】
前記搬送部は、
前記主搬送路に沿って前記媒体に駆動力を伝達する主搬送ローラと、
当該主搬送ローラ及び前記切替搬送ローラに駆動力を供給する駆動力供給部と
をさらに具えることを特徴とする請求項３に記載の媒体搬送装置。
【請求項５】
前記駆動力供給部は、前記主搬送ローラと前記切替搬送ローラとの間で駆動力を伝達すると共に前記媒体に当接して駆動力を伝達するベルトをさらに具える
ことを特徴とする請求項４に記載の媒体搬送装置。
【請求項６】
利用者との間で取引される媒体を主搬送路に沿って搬送する搬送部と、
前記搬送部の一部でなり、前記主搬送路上に設けられた接続箇所を含む装着部と、
前記装着部に装着された場合に、当該装着部における前記主搬送路を形成する固定ガイドと、
前記固定ガイドに代えて前記装着部に装着された場合に、当該装着部における前記主搬送路の少なくとも一部を形成すると共に、前記媒体を収納する追加収納庫と、前記接続箇所及び前記追加収納庫の間で前記媒体を搬送する追加搬送路と、前記接続箇所において前記媒体の搬送経路を前記主搬送路側又は前記追加搬送路側に切り替える切替器とを追加する追加ユニットと
を具えることを特徴とする媒体取引装置。
【発明の詳細な説明】
【技術分野】
【０００１】
本発明は媒体搬送装置及び媒体取引装置に関し、例えば顧客に紙幣等の媒体を投入させて所望の取引を行う現金自動預払機（ＡＴＭ：Automatic Teller Machine）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。
【０００３】
現金自動預払機としては、例えば顧客との間で紙幣の授受を行う紙幣入出金口と、紙幣を搬送路に沿って搬送する搬送部と、投入された紙幣の金種及び真偽を鑑別する鑑別部と、投入された紙幣を一時的に保留する一時保留部と、金種ごとに紙幣を格納する紙幣収納庫とを有するものが提案されている（例えば、特許文献１参照）。
【０００４】
この現金自動預払機は、入金取引において、顧客が紙幣入出金口に紙幣を投入すると、投入された紙幣を搬送部により搬送路に沿って搬送して鑑別部で鑑別し、正常紙幣と鑑別された紙幣を一時保留部へ収納する一方、取引すべきでないと鑑別された紙幣を紙幣入出金口へ戻して顧客に返却する。続いて現金自動預払機は、顧客により入金金額が確定されると、一時保留部に収納している紙幣を繰り出して搬送し、その金種を鑑別部により再鑑別して、鑑別された金種に応じて各紙幣収納庫へ収納する。
【先行技術文献】
【特許文献】
【０００５】
【特許文献１】特開２０１１−２５８１３３号公報（第１図）
【発明の概要】
【発明が解決しようとする課題】
【０００６】
ところで現金自動預払機のなかには、顧客が紙幣入出金口から取り忘れた取忘紙幣を他の紙幣と区別して収納する取忘収納庫や、偽造された紙幣（いわゆる偽券）と鑑別された紙幣を他の紙幣と区別して収納する偽券収納庫等、種々の紙幣を他の紙幣と区別して収納するための収納庫（以下これを専用収納庫と呼ぶ）を有するものもある。
【０００７】
このような専用収納庫は、現金自動預払機を管理する金融機関において、当該現金自動預払機に取り付けるか否か、及びどのような種類の専用収納庫を取り付けるか等が決定される。このため現金自動預払機では、部品の共通化等によりコストを低廉化する観点から、製造時に、専用収納庫を取り付けない構成と専用収納庫を取り付ける構成とを容易に切り替え得ることが考えられる。また現金自動預払機では、専用収納庫を設ける場合、搬送部が本来有している搬送路に加えて、紙幣を当該専用収納庫へ搬送するための追加の搬送路や、紙幣の搬送経路を切り替えるための切替器も設ける必要がある。
【０００８】
そこで、例えば図１４に示すように、現金自動預払機に搭載される紙幣入出金機３１０の後搬送部３２２に追加ユニット３６０を着脱することが考えられる。紙幣入出金機３１０は、紙幣を搬送する後搬送部３２２において、紙幣収納庫に接続される後搬送路３２の途中に接続箇所Ｐ１が設けられ、当該切替箇所に追加搬送路３６が接続され、さらにその近傍に切替器７７が設けられている。追加搬送路３６の上端は、後搬送部２２の上面に設けられ、その先に何も接続されていない。また追加ユニット３６０は、追加収納庫６１Ｓ及び上追加搬送路６５が設けられている。この紙幣入出金機３１０は、追加搬送路３６の上端近傍に追加ユニット３６０が装着されるだけで、互いの搬送路同士を接続でき、追加収納庫６１Ｓに紙幣を搬送して収納させることが可能となる。
【０００９】
しかしながら紙幣入出金機３１０では、追加ユニット３６０を装着しない場合、後搬送部３２２に設けられた切替器７７が紙幣を後搬送路３２に沿ってのみ案内する搬送ガイドとして用いられ、また追加搬送路３６が全く利用されない。このため紙幣入出金機３１０では、追加ユニット３６０を装着しない場合に、切替器７７や追加搬送路３６を構成する部品が無駄となり、製造コストの上昇に繋がるおそれや、紙幣の詰まりを発生させる可能性を高めるおそれがある、という問題があった。
【００１０】
本発明は以上の点を考慮してなされたもので、着脱可能であり媒体が搬送される追加ユニットを装着しない場合の構成を簡素化し得る媒体搬送装置及び媒体取引装置を提案しようとするものである。
【課題を解決するための手段】
【００１１】
かかる課題を解決するため本発明の媒体搬送装置においては、主搬送路に沿って媒体を搬送する搬送部と、搬送部の一部でなり、主搬送路上に設けられた接続箇所を含む装着部と、装着部に装着された場合に、当該装着部における主搬送路を形成する固定ガイドと、固定ガイドに代えて装着部に装着された場合に、当該装着部における主搬送路の少なくとも一部を形成すると共に、媒体を収納する追加収納庫と、接続箇所及び追加収納庫の間で媒体を搬送する追加搬送路と、接続箇所において媒体の搬送経路を主搬送路側又は追加搬送路側に切り替える切替器とを追加する追加ユニットとを設けるようにした。
【００１２】
また本発明の媒体取引装置においては、利用者との間で取引される媒体を主搬送路に沿って搬送する搬送部と、搬送部の一部でなり、主搬送路上に設けられた接続箇所を含む装着部と、装着部に装着された場合に、当該装着部における主搬送路を形成する固定ガイドと、固定ガイドに代えて装着部に装着された場合に、当該装着部における主搬送路の少なくとも一部を形成すると共に、媒体を収納する追加収納庫と、接続箇所及び追加収納庫の間で媒体を搬送する追加搬送路と、接続箇所において媒体の搬送経路を主搬送路側又は追加搬送路側に切り替える切替器とを追加する追加ユニットとを設けるようにした。
【００１３】
本発明は、搬送部に追加ユニットが装着されない場合、装着部に固定ガイドを装着することで、切替器を設けること無く、媒体を主搬送路に沿って搬送できるので、構成を簡素化できる。その一方で本発明は、搬送部に追加ユニットが装着される場合、追加収納庫及び追加搬送路と共に切替器が追加されるため、必要なときに媒体の搬送先を主搬送路側から追加搬送路側に切り替えることで、この媒体を追加収納庫へ搬送して収納させ、若しくは当該追加収納庫から媒体を繰り出させて接続箇所へ搬送させることができる。
【発明の効果】
【００１４】
本発明によれば、着脱可能であり媒体が搬送される追加ユニットを装着しない場合の構成を簡素化し得る媒体搬送装置及び媒体取引装置を実現できる。
【図面の簡単な説明】
【００１５】
【図１】現金自動預払機の構成を示す略線的斜視図である。
【図２】紙幣入出金機の構成を示す略線図である。
【図３】搬送部の構成を示す略線図である。
【図４】第１の実施の形態による後搬送部における着脱部の構成を示す略線図である。
【図５】第１の実施の形態による追加ユニットの構成を示す略線図である。
【図６】切替器の構成を示す略線図である。
【図７】第１の実施の形態における装着部に対する追加ユニットの装着を示す略線図である。
【図８】第２の実施の形態による後搬送部の着脱部及び追加ユニットの構成を示す略線図である。
【図９】第２の実施の形態による後搬送部の構成を示す略線図である。
【図１０】第２の実施の形態における装着部に対する追加ユニットの装着を示す略線図である。
【図１１】第２の実施の形態における装着部に対する追加ユニットの装着を示す略線図である。
【図１２】第２の実施の形態における装着部に対する追加ユニットの装着を示す略線図である。
【図１３】他の実施の形態による後搬送部の着脱部及び追加ユニットの構成を示す略線図である。
【図１４】従来の現金自動預払機の構成を示す略線図である。
【発明を実施するための形態】
【００１６】
以下、発明を実施するための形態（以下実施の形態とする）について、図面を用いて説明する。
【００１７】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者（すなわち金融機関の顧客）との間で入金処理や出金処理等の現金に関する取引を行うようになっている。
【００１８】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００１９】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞するようになっている。因みに紙幣は、例えば長方形の紙により、紙葉状に形成されている。
【００２０】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２１】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２２】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２３】
紙幣入出金機１０は、図２に模式的な側面図を示すように、内部に媒体としての紙幣に関する種々の処理を行う複数の部分が組み込まれている。紙幣入出金機１０は、大きく分けて、上下方向のほぼ中央よりも上側部分を占める上部ブロック１０Ｕと、その下側部分を占める下部ブロック１０Ｌとにより構成されている。
【００２４】
上部ブロック１０Ｕには、全体を統括制御する紙幣制御部１１、顧客との間で紙幣を授受する入出金部１２、紙幣を各部へ搬送する搬送部１３、紙幣を鑑別する鑑別部１４及び紙幣を一時的に収納する一時保留部１５が設けられている。
【００２５】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２６】
入出金部１２は、上部ブロック１０Ｕ内における前上部に位置している。この入出金部１２は、利用者から受け取った紙幣を内部に収容し、１枚ずつに分離して搬送部１３に引き渡す。また入出金部１２は、搬送部１３により搬送されてきた紙幣を内部に集積してから利用者に引き渡す。
【００２７】
搬送部１３は、上部ブロック１０Ｕ内における下端部分に位置しており、全体的に上下方向に薄く前後方向に細長い形状となっている。この搬送部１３内には、紙幣を案内する搬送ガイドや多数の回転するローラ等が適宜配置されており、紙幣の短辺を進行方向に沿わせて、主に前後方向へ搬送させるような直線状の搬送路が形成されている。
【００２８】
搬送部１３は、図３に拡大図を示すように、大きく分けて、中央付近に配置された一時保留切替部２０と、当該一時保留切替部２０の前側及び後側にそれぞれ配置された前搬送部２１及び後搬送部２２により構成されている。一時保留切替部２０は、紙幣制御部１１の制御に基づき、前搬送部２１、後搬送部２２及び一時保留部１５の間で紙幣を搬送するよう、紙幣の搬送経路を切り替える。
【００２９】
また搬送部１３内には、一時保留切替部２０の他に複数の切替部が配置されている。各切替部は、回動可能なブレード（図中に三角形で示す）及びその周囲に配置された回転可能な複数のローラ（図示せず）により構成されている。この切替部は、紙幣制御部１１の制御に従い、各紙幣の搬送先に応じてブレードの傾斜方向を変化させると共に各ローラを所定の回転方向へ回転させることにより、紙幣の搬送方向を適宜切り替えて所望の搬送先へ搬送する。
【００３０】
前搬送部２１内には、前方から順に、リジェクト切替部２４、鑑別部１４及び切替部２５が直列に配置されると共に、これらの間が比較的短い搬送短路によりそれぞれ接続されており、全体として前後方向に沿った概ね直線状の前搬送路３１が形成されている。リジェクト切替部２４及び切替部２５は、それぞれ紙幣制御部１１の制御に基づき、紙幣の搬送経路を適宜切り替えるようになっている。
【００３１】
後搬送部２２内には、後方から順に、切替部２７、２８及び２９がほぼ直列に配置されており、前搬送部２１と同様、これらの間が比較的短い搬送短路によりそれぞれ接続されることで、全体として前後方向に沿った概ね直線状の後搬送路３２が形成されている。切替部２７〜２９は、それぞれ紙幣制御部１１の制御に基づき、紙幣の搬送経路を適宜切り替えるようになっている。
【００３２】
鑑別部１４は、前搬送部２１内に組み込まれており、紙幣の搬送経路上で入出金部１２と一時保留切替部２０との間に位置している。この鑑別部１４は、内部に複数種類のセンサが組み込まれており、搬送される紙幣の金種、真偽、正損（損傷しているか否か）等を認識し、その認識結果を紙幣制御部１１へ送出する。
【００３３】
一時保留部１５（図２）は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出す。
【００３４】
下部ブロック１０Ｌは、その全ての周側面が頑強な金庫筐体１０Ｓにより覆われている。この金庫筐体１０Ｓの内部には、後側から前側へ向けて、５個の紙幣収納庫１６（１６Ａ、１６Ｂ、１６Ｃ、１６Ｄ及び１６Ｅ）並びにリジェクト庫１７が設けられている。因みに紙幣収納庫１６及びリジェクト庫１７は、金庫筐体１０Ｓに対し着脱可能に構成されている。
【００３５】
各紙幣収納庫１６は、何れも同様に構成されており、上下方向に長い直方体状に形成されると共に内部に紙幣を集積して収納する空間を有している。紙幣収納庫１６は、搬送部１３により紙幣が搬送されてくると、当該紙幣を内部に集積して収納する。また紙幣収納庫１６は、紙幣制御部１１から紙幣を繰り出す指示を受け付けると、内部に集積している紙幣を１枚ずつに分離して繰り出し、搬送部１３に引き渡す。
【００３６】
リジェクト庫１７は、上下方向に長い直方体状に形成されると共に内部に紙幣を集積して収納する空間を有している。このリジェクト庫１７は、鑑別部１４及び紙幣制御部１１により損傷の程度が大きく再利用すべきで無いと判断された紙幣（いわゆるリジェクト紙幣）が搬送部１３により搬送されてくると、当該紙幣を内部に収納する。
【００３７】
［１−２．紙幣の搬送］
次に、現金自動預払機１により利用者（金融機関の顧客）との間で入金取引及び出金取引が行われる場合における、紙幣入出金機１０内での入金処理及び出金処理について説明する。このうち入金処理については、前段の入金計数処理と、後段の入金収納処理に分けて説明する。
【００３８】
［１−２−１．入金計数処理］
紙幣入出金機１０は、入金処理において、紙幣制御部１１の制御に基づき、先に入金された紙幣の金種等を鑑別しながら枚数を計数する入金計数処理を行い、次に紙幣を適切な収納箇所へ搬送して収納する入金収納処理を行うようになっている。
【００３９】
具体的に紙幣制御部１１は、例えば顧客により操作表示部６（図１）を介して入金処理を開始する旨の操作入力を受け付けると、入金計数処理を開始し、入出金部１２の内部へ紙幣を投入させて１枚ずつに分離し、搬送部１３へ順次引き渡す。
【００４０】
搬送部１３は、入出金部１２から受け取った紙幣をリジェクト切替部２４及び前搬送部２１により後方へ順次搬送し、前搬送路３１に沿って後方へ進行させながら、鑑別部１４により各紙幣を順次鑑別し、後側の一時保留切替部２０へ順次引き渡す。このとき鑑別部１４は、得られた鑑別結果を紙幣制御部１１へ送出する。
【００４１】
紙幣制御部１１は、取得した鑑別結果を基に、各紙幣における損傷の程度や金種、或いは真偽を判断する。次に紙幣制御部１１は、各紙幣について、正常な紙幣として認識できた場合は以降の処理を継続できる入金受入紙幣であると判断し、正常な紙幣として認識できない場合は、一度顧客に返却すべき入金リジェクト紙幣であると判断する。さらに紙幣制御部１１は、入金受入紙幣について、正常であり再利用可能な紙幣については金種ごとの各紙幣収納庫１６を、損傷の程度が大きいリジェクト紙幣についてはリジェクト庫１７を、それぞれ最終的な搬送先として決定し、記憶しておく。
【００４２】
続いて紙幣制御部１１は、紙幣の判断結果に応じて一時保留切替部２０による紙幣の搬送先を切り替えることにより、入金受入紙幣を一時保留部１５へ搬送して収納させ、また入金リジェクト紙幣を後搬送部２２内へ進行させて後搬送路３２内に貯留させる。やがて紙幣制御部１１は、入出金部１２から全ての紙幣を取り込み終えると、後搬送部２２の後搬送路３２内に入金リジェクト紙幣が貯留されていれば、これを顧客に返却し、必要に応じて再投入させる。
【００４３】
一方、紙幣制御部１１は、後搬送部２２の後搬送路３２内に入金リジェクト紙幣が貯留されていなければ、入金計数処理を完了する。このとき紙幣制御部１１は、入出金部１２から取り込んだ紙幣の金種及び枚数の集計結果を基に入金額を算出すると共に、所定の操作指示画面を操作表示部６に表示し、この入金額を顧客に提示すると共に入金処理を継続するか否かを顧客に選択させる。ここで紙幣制御部１１は、顧客により入金処理の中止が指示された場合、一時保留部１５に保留している全ての紙幣を搬送部１３により入出金部１２へ搬送して顧客に返却する。
【００４４】
このように紙幣入出金機１０は、入金計数処理において、顧客から入金された紙幣を一時保留部１５内に収納するようになっている。
【００４５】
［１−２−２．入金収納処理］
紙幣制御部１１は、顧客により入金処理の継続が指示された場合、入金収納処理を開始する。具体的に紙幣制御部１１は、まず一時保留部１５において操出処理を開始し、収納している紙幣（入金受入紙幣）を順次繰り出し、一時保留切替部２０へ受け渡す。
【００４６】
このとき紙幣制御部１１は、入金計数処理において決定された紙幣毎の搬送先に応じて、一時保留切替部２０による紙幣の搬送経路を切り替える。具体的に一時保留切替部２０は、紙幣の搬送先がリジェクト庫１７又は紙幣収納庫１６Ｅであれば、当該紙幣を前搬送部２１へ受け渡す。また一時保留切替部２０は、紙幣の搬送先が紙幣収納庫１６Ａ〜１６Ｄであれば、当該紙幣を後搬送部２２へ受け渡す。
【００４７】
さらに紙幣制御部１１は、各紙幣の搬送先に応じて前搬送部２１及び後搬送部２２の各切替部を適宜制御することにより、再利用すべき通常の紙幣を金種ごとに分類して各紙幣収納庫１６に収納させ、また再利用すべきで無いリジェクト紙幣をリジェクト庫１７に収納させる。
【００４８】
このように紙幣入出金機１０は、入金収納処理において、一時保留部１５に収納していた紙幣を紙幣収納庫１６又はリジェクト庫１７へ搬送して収納させる。
【００４９】
［１−２−３．出金処理］
紙幣入出金機１０は、出金処理において、紙幣制御部１１の制御に基づき、指定された金額に応じた金種及び枚数の紙幣を出金する出金処理を行うようになっている。以下では、紙幣収納庫１６Ａ〜１６Ｄに収納されている紙幣を出金する場合を例に説明する。
【００５０】
紙幣制御部１１は、顧客から操作表示部６（図１）を介して出金額を含む所定の操作入力を受け付け、出金額に応じた紙幣の金種及び枚数を決定する。続いて紙幣制御部１１は、決定した金種及び枚数に応じて、各紙幣収納庫１６内に収納されている紙幣を順次繰り出し、搬送部１３に順次受け渡す。
【００５１】
搬送部１３は、前搬送部２１内を前方へ向けて進行する紙幣の走行状態を鑑別部１４により鑑別し、その鑑別結果を紙幣制御部１１（図２）へ送出する。紙幣制御部１１は、紙幣の走行状態に応じてリジェクト切替部２４を切り替え、当該走行状態に問題が無ければ入出金部１２へ進行させ、例えば重送のように搬送状態に問題があればリジェクト庫１７へ進行させて、それぞれ紙幣を収納させる。やがて紙幣制御部１１は、出金額に応じた全ての紙幣を入出金部１２へ搬送し終えると、顧客に取り出させる。
【００５２】
［１−３．装着部及び固定ガイドの構成］
図３の一部を拡大した図４（Ａ）及び（Ｂ）に示すように、搬送部１３の後搬送部２２において、主搬送路としての後搬送路３２は、後端近傍を下方へ向けて屈曲させている。具体的に後搬送路３２は、水平部３３、湾曲部３４及び垂直部３５により構成されている。水平部３３は、前方の一時保留切替部２０（図３）側から後搬送部２２の後端よりもやや前側までの範囲に設けられ、後搬送部２２における上下のほぼ中央に、概ね前後方向に沿った直線状に形成されている。
【００５３】
湾曲部３４は、水平部３３の後端から後下方へ向けて湾曲しており、円周の約１／４に相当する円弧状に形成されている。説明の都合上、以下では、水平部３３と湾曲部３４との接続箇所を接続箇所Ｐ１とも呼ぶ。湾曲部３４の後下端には、垂直部３５が接続されている。垂直部３５は、上下方向に沿った直線状に形成されている。
【００５４】
後搬送部２２は、後搬送路３２において紙幣を搬送する空間（以下これを搬送空間とも呼ぶ）の両側に、当該紙幣の移動範囲を規制する搬送ガイドを、当該後搬送路３２に沿って配置している。例えば水平部３３は、上側の搬送ガイド３３Ａと下側の搬送ガイド３３Ｂとの間に、紙幣を搬送するための搬送空間を形成している。これと同様に後搬送路３２の湾曲部３４及び垂直部３５も、互いに対向する搬送ガイドと、両搬送ガイドに挟まれた搬送空間とによりそれぞれ構成されている。ただし湾曲部３４については、後搬送部２２側に下側ないし前側の搬送ガイド３４Ｂのみが設けられている。
【００５５】
搬送ガイドは、紙幣を案内する案内面を搬送空間に露出させている。すなわち後搬送路３２は、互いの案内面を対向させた２の搬送ガイドにより挟まれた部分を、搬送空間としている。因みに後搬送部２２には、搬送ガイドの他、紙幣に駆動力を伝達するローラ４１、４２、４３及び４４や搬送ベルト（図示せず）等も適宜設けられている。これらのローラは、搬送ガイドに適宜設けられた孔部から、その一部を搬送空間内に露出させ、当該搬送空間内の紙幣に当接して駆動力を伝達するようになっている。
【００５６】
さらに後搬送部２２には、接続箇所Ｐ１において、追加搬送路３６が接続されている。追加搬送路３６は、湾曲部３４及び垂直部３５を接合させて上下方向に反転させたような形状となっている。ただし後搬送部２２側には、紙幣を搬送するための搬送空間における前側ないし上側の部分を形成する搬送ガイド３６Ａのみが設けられている。
【００５７】
ところで後搬送部２２における後端近傍、すなわち接続箇所Ｐ１よりも後方であって、上側の約２／３の範囲には、装着部３０が形成されている。装着部３０における前面部分のうち、接続箇所Ｐ１よりも上側の範囲は、搬送ガイド３６Ａとなっている。また装着部３０における前面部分のうち、接続箇所Ｐ１よりも下側の範囲は、湾曲部３４の搬送ガイド３４Ｂとなっている。さらに装着部３０の前下端は、湾曲部３４及び垂直部３５の接続部分となっている。
【００５８】
この装着部３０は、図４（Ａ）に示したように固定ガイド５０が取り付けられ、又は図４（Ｂ）に示すように当該固定ガイド５０が取り外される。すなわち固定ガイド５０は、装着部３０に対し着脱可能に構成されている。
【００５９】
固定ガイド５０は、全体として直方体状に形成されており、前後方向、上下方向及び左右方向の長さが装着部３０に合わせて設計されている。固定ガイド５０における前面の上側約２／３の範囲には、前上部５１が形成されている。この前上部５１は、追加搬送路３６の搬送ガイド３６Ａと対応する形状の曲面となっている。
【００６０】
また固定ガイド５０における前面の下側約１／３の範囲には、固定搬送ガイドとしての搬送ガイド５２が形成されている。この搬送ガイド５２は、後搬送部２２における湾曲部３４の搬送ガイド３４Ｂと対応する湾曲面を形成している。さらに固定ガイド５０の後面５３は、平坦な平面状に形成されている。
【００６１】
この固定ガイド５０は、図４（Ａ）に示したように後面５３を後搬送部２２の後端に揃えて装着部３０に装着された場合、後搬送路３２における湾曲部３４の搬送ガイド３４Ｂと搬送ガイド５２との間に隙間、すなわち搬送空間を形成する。また搬送ガイド５２は、その前上端を水平部３３における搬送ガイド３３Ａの後端と接続させると共に、その後下端を垂直部３５における搬送ガイド３５Ａの上端と接続させる。すなわち搬送ガイド５２は、後搬送部２２の搬送ガイド３４Ｂと共に、後搬送路３２の湾曲部３４を構成する。
【００６２】
このため、装着部３０に固定ガイド５０が装着された後搬送部２２は、前方から後搬送路３２の水平部３３に沿って搬送されてきた紙幣を、湾曲部３４に沿って後下方へ進行させた後、垂直部３５に沿って下方へ搬送することができる。また後搬送部２２は、下方から垂直部３５に沿って搬送されてきた紙幣を、湾曲部３４に沿って前上方へ進行させた後、水平部３３に沿って前方へ搬送することができる。
【００６３】
一方、後搬送部２２は、装着部３０に固定ガイド５０が装着されている場合、前上部５１を搬送ガイド３６Ａにほぼ密接させている。すなわち後搬送部２２は、搬送ガイド３６Ａの後側に搬送空間を形成していないため、追加搬送路３６により紙幣を搬送できない状態、若しくは追加搬送路３６を形成していない状態となっている。
【００６４】
また後搬送部２２は、接続箇所Ｐ１において、追加搬送路３６へ向かう搬送経路を搬送ガイド５２の前端部分により閉塞している。このため後搬送部２２は、装着部３０に固定ガイド５０が装着されている場合、当該装着部３０の近傍において、紙幣を追加搬送路３６へ搬送すること無く、後搬送路３２のみに沿って紙幣収納庫１６Ａ（図２）へ搬送する。
【００６５】
［１−４．追加ユニットの構成及び装着部への装着］
ところで装着部３０には、固定ガイド５０に代えて、図５に示す追加ユニット６０を装着し得るようになっている。追加ユニット６０は、全体として、従来の追加ユニット３６０（図１４）とほぼ同様に構成された直方体状の部分と、この直方体における下面の後端近傍から下方へ突出した部分とにより構成されている。追加ユニット６０における直方体状に形成された部分は、前側の追加収納部６１及び後側の上追加搬送部６２により構成されている。また上追加搬送部６２の下側から下方へ突出した部分は、切替追加搬送部６３となっている。
【００６６】
追加収納部６１には、その内部に直方体状の空間を有する追加収納庫６１Ｓが設けられている。この追加収納庫６１Ｓは、紙面を上下に向けた紙幣を集積して内部に収納し得るようになっている。上追加搬送部６２は、紙幣を搬送する上追加搬送路６５を中心に構成されている。上追加搬送路６５は、下端から上端近傍までの部分が上下方向に沿った直線状に形成されており、上端近傍において前方へ向けて湾曲されている。この上追加搬送路６５は、上前側の端部が追加収納庫６１Ｓの後面上端近傍と接続され、下側の端部が切替追加搬送部６３と接続されている。
【００６７】
また上追加搬送部６２には、上追加搬送路６５を挟むようにして３対のローラ対６６、６７及び６８が設けられている。ローラ対６６は、上追加搬送路６５の下端近傍に設けられており、当該上追加搬送路６５の前後にそれぞれ配置されたローラ６６Ａ及び６６Ｂにより構成されている。ローラ対６７は、上追加搬送路６５における上下方向の中程に設けられており、当該上追加搬送路６５の前後にそれぞれ配置されたローラ６７Ａ及び６７Ｂにより構成されている。
【００６８】
ローラ対６８は、上追加搬送路６５における追加収納庫６１Ｓとの接続箇所近傍に設けられており、当該上追加搬送路６５の下側及び上側にそれぞれ配置されたローラ６８Ａ及び６８Ｂにより構成されている。ローラ６６Ｂ、６７Ｂ及び６８Ｂは、図示しないモータから駆動力が伝達されており、図の時計回り又は反時計回りへ回転することにより、ローラ６６Ａ、６７Ａ及び６８Ａとの間で紙幣を挟持し、駆動力を伝達して上追加搬送路６５に沿って進行させる。
【００６９】
切替追加搬送部６３は、全体として固定ガイド５０（図４）と同様の直方体状に構成されている。切替追加搬送部６３の前側には、固定ガイド５０の前上部５１及び搬送ガイド５２とそれぞれ対応する搬送ガイド７１及び搬送ガイド７２が設けられている。また切替追加搬送部６３の後側には、後面５３と対応する後面７３が形成されている。
【００７０】
搬送ガイド７２は、搬送ガイド５２と概ね同様の湾曲面となっているものの、後面７３を基準とした前端の位置が、当該搬送ガイド５２よりも後方となっており、その全長が当該搬送ガイド５２よりもやや短くなっている。搬送ガイド７１は、概ね前上部５１と同様の曲面を形成しているものの、後面７３に対して、当該前上部５１よりも後方に位置している。
【００７１】
また切替追加搬送部６３には、上追加搬送部６２におけるローラ６６Ｂのほぼ真下となる箇所に、ローラ７５が設けられている。ローラ７５は、その前端近傍を搬送ガイド７１よりも前方へ突出させている。
【００７２】
搬送ガイド７１及び搬送ガイド７２の接続箇所近傍には、切替器７７が設けられている。切替器７７は、図６に示すように、回動軸８１、複数のブレード８２及びアクチュエータ８３により構成されている。回動軸８１は、左右方向に沿った細長い円柱状に形成されており、切替追加搬送部６３のフレーム（図示せず）により回動可能に支持されている。
【００７３】
各ブレード８２は、何れも同様に構成されており、左右方向に薄い板状であり、且つ左右方向から見て三角形状に形成されている。回動軸８１には、複数のブレード８２が、左右方向に適宜間隔を空けながら、板面を貫通するように固定されている。このためブレード８２は、切替追加搬送部６３のフレームに対し、回動軸８１と一体に回動することができる。
【００７４】
アクチュエータ８３は、内部に電磁石等が組み込まれており、電力が供給されると、出力軸８３Ａを回動させる。この出力軸８３Ａは、回動軸８１の右端と連結されている。このためアクチュエータ８３は、電力が供給されると、出力軸８３Ａに連結された回動軸８１及び当該回動軸８１に取り付けられたブレード８２を一体に回動させることができる。
【００７５】
このように追加ユニット６０は、従来の追加ユニット３６０に相当する追加収納部６１及び上追加搬送部６２に加えて、搬送ガイド７１、搬送ガイド７２及び切替器７７等を有する切替追加搬送部６３が設けられた構成となっている。
【００７６】
紙幣入出金機１０は、追加ユニット６０が後搬送部２２に取り付けられる場合、図４（Ｂ）に示したように装着部３０から固定ガイド５０が取り外された後、図７に示すように、当該装着部３０に切替追加搬送部６３を装着するようにして、後搬送部２２の上側における後端近傍に追加ユニット６０が取り付けられる。
【００７７】
このとき切替追加搬送部６３の搬送ガイド７１及び搬送ガイド７２は、後搬送部２２側の搬送ガイド３６Ａ及び搬送ガイド３４Ｂとの間に、後搬送路３２と同程度の隙間を形成する。また追加搬送ローラとしてのローラ７５は、切替搬送ローラとしてのローラ４４と当接する。さらに切替器７７は、接続箇所Ｐ１のほぼ真後ろに位置する。因みにアクチュエータ８３（図６）は、図示しない配線ケーブル等により、紙幣制御部１１と電気的に接続される。
【００７８】
これにより後搬送部２２及び追加ユニット６０は、後搬送路３２の接続箇所Ｐ１と上追加搬送部６２における上追加搬送路６５の下端との間を結ぶようにして、紙幣を搬送し得る追加搬送路３６を追加的に構成する。換言すれば、追加ユニット６０は、追加搬送路３６及び上追加搬送路６５により、接続箇所Ｐ１と追加収納庫６１Ｓとを結ぶ搬送経路を構成できる。
【００７９】
また切替器７７は、後搬送路３２の水平部３３から搬送されてきた紙幣の搬送経路を、紙幣制御部１１の制御に基づいて後搬送路３２の湾曲部３４側又は追加搬送路３６側に切り替える。これにより切替器７７は、当該紙幣の搬送先を紙幣収納庫１６Ａ（図２）又は追加ユニット６０の追加収納庫６１Ｓに変更することができる。
【００８０】
このように紙幣入出金機１０は、装着部３０に追加ユニット６０が取り付けられた場合、切替器７７を追加すると共に追加搬送路３６を形成することにより、紙幣を追加収納庫６１Ｓへ搬送して収納させることが可能となる。
【００８１】
［１−５．効果等］
以上の構成において、第１の実施の形態による現金自動預払機１の紙幣入出金機１０は、後搬送部２２に切替器を設けず（図４）、追加ユニット６０の切替追加搬送部６３に切替器７７を設けた（図５）。また紙幣入出金機１０は、後搬送部２２に装着部３０を形成し、この装着部３０に固定ガイド５０又は追加ユニット６０の切替追加搬送部６３を装着するようにした（図４及び図７）。
【００８２】
紙幣入出金機１０は、追加ユニット６０の追加収納庫６１Ｓを使用する必要が無く、追加ユニット６０を装着しない場合、固定ガイド５０を装着することにより、後搬送路３２に沿って紙幣を搬送できる（図４（Ａ））。すなわち紙幣入出金機１０は、装着部３０に固定ガイド５０を装着する場合、接続箇所Ｐ１において紙幣の搬送経路を切り替える必要が無い。
【００８３】
そこで紙幣入出金機１０は、この点を踏まえて、後搬送部２２側及び固定ガイド５０側の何れにも切替器を設けていない。これにより紙幣入出金機１０は、従来の紙幣入出金機３１０（図４）と比較して、後搬送部２２における接続箇所Ｐ１の近傍から切替器を省略できるので、当該後搬送部２２の製造や保守等におけるコストの低廉化を図ることができる。
【００８４】
またこのとき紙幣入出金機１０は、固定ガイド５０の搬送ガイド５２により、接続箇所Ｐ１から追加搬送路３６へ向かう搬送経路を閉塞する。これにより紙幣入出金機１０は、後搬送部２２における後搬送路３２と追加搬送路３６との分岐箇所、すなわち接続箇所Ｐ１を単なる搬送路にすることができ、当該接続箇所Ｐ１の近傍において紙幣が詰まる可能性を格段に低減できる。
【００８５】
一方、紙幣入出金機１０は、後搬送部２２に追加ユニット６０を設ける場合、装着部３０から固定ガイド５０を取り外して切替追加搬送部６３を装着する。このとき紙幣入出金機１０は、搬送ガイド３６Ａ及び搬送ガイド７１により追加搬送路３６を紙幣の搬送が可能な状態にすると共に、切替追加搬送部６３の切替器７７を接続箇所Ｐ１の後方に位置させる（図７）。また紙幣入出金機１０は、搬送ガイド７２の前端を搬送ガイド３３Ａの後端から後方に離れた箇所に位置させるため、接続箇所Ｐ１における後搬送路３２から追加搬送路３６への搬送経路を開放する。
【００８６】
紙幣入出金機１０は、紙幣制御部１１によって切替器７７を制御することにより、後搬送路３２の水平部３３に沿って搬送される紙幣の進行方向を、後搬送路３２に沿った湾曲部３４側又は追加搬送路３６側に切り替える。これにより紙幣入出金機１０は、後搬送部２２において、一時保留切替部２０（図２及び図３）と紙幣収納庫１６Ａ（図２）との間で紙幣を搬送させ、又は当該一時保留切替部２０と追加ユニット６０の追加収納庫６１Ｓとの間で紙幣を搬送させるよう、その搬送経路を切り替えることができる。
【００８７】
すなわち紙幣入出金機１０は、追加ユニット６０を取り付けて接続箇所Ｐ１から追加収納庫６１Ｓへ紙幣を搬送する必要がある場合のみ、当該追加ユニット６０に一体化された切替追加搬送部６３を装着部３０に装着することにより、後搬送部２２に追加搬送路３６及び切替器７７を追加することができる。
【００８８】
これを換言すれば、紙幣入出金機１０は、追加ユニット６０を設けない場合に後搬送部２２の構成を簡素化することと、当該追加ユニット６０を設ける場合に装着部３０に切替追加搬送部６３を装着させるだけで追加収納庫６１Ｓや切替器７７等を容易に取り付けられることとを、高い次元で両立させることができる。
【００８９】
さらに紙幣入出金機１０では、ローラ７５を切替追加搬送部６３に設けたことにより、従来の紙幣入出金機３１０と比較して、後搬送部２２側に設けるローラの数を削減でき、その構成をさらに簡素化できる。
【００９０】
以上の構成によれば、第１の実施の形態による現金自動預払機１の紙幣入出金機１０は、装着部３０に固定ガイド５０を装着した場合、後搬送路３２に沿って紙幣を搬送でき、且つ切替器を省略して構成を簡素化できる。一方、紙幣入出金機１０は、装着部３０に追加ユニット６０の切替追加搬送部６３を装着した場合、切替器７７を接続箇所Ｐ１の後方に位置させると共に追加搬送路３６を構成できる。これにより紙幣入出金機１０は、後搬送路３２の水平部３３に沿って搬送される紙幣の進行方向を、後搬送路３２の湾曲部３４側とする他に、追加搬送路３６側に切り替えて、追加収納部６１の追加収納庫６１Ｓへ搬送することができる。
【００９１】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、搬送部１３に代わる搬送部１１３を有する点において相違するものの、他の点については同様に構成されている。搬送部１１３（図３）は、第１の実施の形態による搬送部１３と比較して、後搬送部２２に代わる後搬送部１２２を有する点において相違するものの、他の点においては同様に構成されている。
【００９２】
図４（Ａ）と対応する図８（Ａ）に示すように、後搬送部１２２には、装着部３０に代わる装着部１３０が設けられている。この装着部１３０は、第１の実施の形態と同様に固定ガイド５０が装着される他、ローラ４４に代わるローラ１４４が設けられている。ローラ１４４は、第１の実施の形態におけるローラ４４よりも上側に配置されており、上側約１／３ないし１／２の部分が後搬送部１２２の上面よりも上方へ飛び出している。このローラ１４４は、後搬送部１２２により回転可能に支持された回転軸１４４Ｘと一体に、自在に回転することができる。
【００９３】
また後搬送部１２２内には、後搬送ベルト１４０が設けられている。後搬送ベルト１４０は、いわゆる無端ベルトでなり、ゴム等のように、可撓性を有すると共に紙幣に対する摩擦力を有する材料により構成されている。
【００９４】
この後搬送ベルト１４０は、後搬送路３２の水平部３３内、すなわち搬送ガイド３３Ａ及び搬送ガイド３３Ｂの間を後方へ向けて進行し、当該水平部３３における後端近傍においてローラ４１及び４２の上端近傍と当接した後、ローラ４３の後下側に沿って上方向へ進行する。さらに後搬送ベルト１４０は、ローラ１４４の上側に沿って約半周してから前斜め下方向へ折り返され、ローラ１４４の後下側に当接して前方へ進行し、後搬送部１２２の前寄りに配置されたローラ（図示せず）により折り返された後、再び後搬送路３２内を後方へ進行する。
【００９５】
後搬送ベルト１４０は、搬送部１１３（図３）内における中央ないし前寄り、例えば後搬送部１２２の前端近傍や一時保留切替部２０の近傍等に配置されたモータ（図示せず）からいずれかのローラを介して駆動力が伝達されると、上述した走行経路に沿って走行する。
【００９６】
ところで後搬送路３２では、図９に模式的な平面図を示すように、幅規制部材３２Ｒにより、左右方向に関して紙幣の移動可能な範囲（以下これを搬送幅３２Ｗと呼ぶ）を規制している。また後搬送路３２では、搬送幅３２Ｗの範囲内において、紙幣に駆動力を伝達する各ローラ（ローラ４１及び４２等）が、左右方向に離れた２箇所にそれぞれ配置されている。
【００９７】
さらに後搬送路３２では、搬送幅３２Ｗの範囲内に配置されたローラ４１等の周側面に、搬送ベルト１４０が当接している。このため後搬送路３２では、搬送される紙幣ＢＬに対しローラ４１等が殆ど当接せず、搬送ベルト１４０が積極的に当接する。このため搬送ベルト１４０は、後搬送路３２内を後方へ進行する際に、紙幣と当接した状態を維持したまま、摩擦によって当該紙幣と共に後方へ走行することにより、当該紙幣を後搬送路３２に沿って後方へ搬送することができる。
【００９８】
また紙幣入出金機１１０は、後搬送部１２２の装着部１３０に対し、追加ユニット６０に代わる追加ユニット１６０を装着し得るようになっている。追加ユニット１６０は、図５と対応する図８（Ｂ）に示すように、第１の実施の形態による追加ユニット６０と比較して、切替追加搬送部６３に代わる切替追加搬送部１６３を有しており、且つローラ対６６が省略されている。切替追加搬送部１６３は、切替追加搬送部６３のローラ７５に代わるローラ１７５が設けられている。追加搬送ローラとしてのローラ１７５は、ローラ７５よりも上側に配置されている。
【００９９】
図７と対応する図１０、図１１及び図１２に示すように、紙幣入出金機１１０は、後搬送部１２２の装着部１３０に追加ユニット１６０の切替追加搬送部１６３が装着されると、第１の実施の形態と同様に、追加搬送路３６を紙幣の搬送が可能な状態に構成すると共に、切替器７７を接続箇所Ｐ１の後方に位置させる。このとき紙幣入出金機１１０は、後搬送部１２２側のローラ１４４と追加ユニット１６０側のローラ１７５とを近接若しくは当接させ、一対のローラ対１７６を構成する。
【０１００】
一般に、紙幣入出金機において本体に追加ユニットを着脱可能に構成する場合、当該追加ユニットを装着する場合には互いの紙幣の搬送路を接続し、また当該追加ユニットを取り外す場合には互いの紙幣の搬送路を切断することになる。特に、従来の紙幣入出金機３１０（図１４）のように、紙幣の搬送路とほぼ直交する仮想的な境界線Ｌ１に沿って後搬送部３２２と追加ユニット３６０とを分離する構成の場合、互いに紙幣を精度良く受け渡すために、それぞれの搬送路における接続箇所の近傍にローラ対を配置することになる。
【０１０１】
例えば従来の紙幣入出金機３１０では、後搬送部３２２側にローラ対３７６が設けられ、追加ユニット３６０側にローラ対６６が設けられている。これにより紙幣入出金機３１０では、後搬送部３２２及び追加ユニット３６０の間で受け渡される紙幣を、少なくとも一方のローラ対により常に挟持できるので、当該紙幣を確実に受け渡すことができる。
【０１０２】
これに対し本実施の形態による紙幣入出金機１１０（図８及び図１０等）は、後搬送部１２２における後端の上側部分をえぐるようにして装着部１３０が形成されており、追加搬送路３６の前側に位置する搬送ガイド３６Ａのみが当該後搬送部１２２側に設けられている。このため紙幣入出金機１１０では、後搬送部１２２側の搬送ガイド３６Ａと、追加ユニット１６０側の搬送ガイド７１とを対向させることにより、追加搬送路３６を構成している。他の観点から見れば、紙幣入出金機１１０では、後搬送部１２２と追加ユニット１６０との境界線の一部が、追加搬送路３６に沿っている。
【０１０３】
以上の点を踏まえて、紙幣入出金機１１０は、２対のローラ対３７６及び６６（図１４）に代えて、後搬送部１２２側のローラ１４４と追加ユニット１６０側のローラ１７５とを組み合わせた１対のローラ対１７６のみを設けることとした。これにより紙幣入出金機１１０は、従来よりもローラの数を削減して構成を簡素化しながら、後搬送部１２２側と追加ユニット１６０側との間で紙幣を円滑に受け渡すことができる。またローラ１４４は、搬送ベルト１４０により駆動力が伝達されるため、専用のモータ等を設ける必要も無い。
【０１０４】
さらに紙幣入出金機１１０は、図１１及び図１２に示したように、追加ユニット１６０において、上追加搬送路６５における後側の搬送ガイド６５Ｂと、切替追加搬送部１６３の搬送ガイド７１及び７２とを連続した１個の部品として構成することができる。このため紙幣入出金機１１０は、従来の紙幣入出金機３１０（図１４）と比較して、搬送ガイド同士を接続する箇所を削減できるので、紙幣の詰まりのような搬送上の障害を引き起こす可能性を格段に低減できる。
【０１０５】
その他の点においても、紙幣入出金機１１０は、第１の実施の形態による紙幣入出金機１０と同様の作用効果を奏し得る。
【０１０６】
以上の構成によれば、第２の実施の形態による現金自動預払機１０１の紙幣入出金機１１０は、装着部１３０に固定ガイド５０を装着した場合、後搬送路３２に沿って紙幣を搬送でき、且つ切替器を省略して構成を簡素化できる。一方、紙幣入出金機１１０は、装着部１３０に追加ユニット１６０の切替追加搬送部１６３を装着した場合、切替器７７を接続箇所Ｐ１の後方に位置させると共に追加搬送路３６を構成し、且つローラ１４４及び１７５によりローラ対１７６を構成する。これにより紙幣入出金機１１０は、紙幣の搬送路を後搬送路３２の湾曲部３４側又は追加搬送路３６側に切り替えることができると共に、従来よりもローラ対の数を削減して構成を簡素化できる。
【０１０７】
［３．他の実施の形態］
なお上述した第１の実施の形態においては、後搬送部２２に追加搬送路３６の搬送ガイド３６Ａを設け、追加ユニット６０の切替追加搬送部６３側に搬送ガイド７１を設ける場合について述べた（図４及び図５）。しかしながら本発明はこれに限らず、例えば図１３（Ａ）に示すように、後搬送部２２２側から搬送ガイド３６Ａ及びその周辺部分を省略しても良い。この場合、図１３（Ｂ）に示すように、追加ユニット２６０の切替追加搬送部６３側に搬送ガイド３６Ａに代わる搬送ガイド２３６Ａを設け、搬送ガイド７１との間に搬送空間を形成すれば良い。この後搬送部２２２は、追加ユニット２６０を取り付けない場合、搬送ガイド３６Ａを設ける必要も無くなるため、さらなる簡素化を図ることができる。
【０１０８】
また上述した第１の実施の形態においては、追加ユニット６０において追加収納部６１及び上追加搬送部６２と切替追加搬送部６３とを一体に構成する場合について述べた。しかしながら本発明はこれに限らず、例えば追加ユニット６０から切替追加搬送部６３をさらに分離し得るように構成しても良い。これにより、例えば追加ユニット６０以外に追加収納部６１及び上追加搬送部６２と異なる構成を有する他の追加ユニットが用意され、その何れかが選択されて装着部３０に装着される場合に、切替追加搬送部６３を共通に利用することができる。第２の実施の形態についても同様である。
【０１０９】
さらに上述した実施の形態においては、装着部３０に追加ユニット６０の切替追加搬送部６３を装着した場合、当該切替追加搬送部６３の切替器７７により、後搬送路３２の水平部３３から搬送されてきた紙幣の搬送路を、湾曲部３４側又は追加搬送路３６側に切り替え得るようにする場合について述べた。しかしながら本発明はこれに限らず、例えば切替追加搬送部６３から切替器７７を省略すると共に、搬送ガイド７１の下端を延長して水平部３３における下側の搬送ガイド３３Ｂの後端と接続することにより、水平部３３からの紙幣の搬送先を追加搬送路３６側に固定しても良い。これにより、例えば追加収納庫６１Ｓが使用可能となったときに紙幣収納庫１６Ａ（図２）が不要となる場合に、切替器７７を無駄に設けずに済む。第２の実施の形態についても同様である。
【０１１０】
さらに上述した第１の実施の形態においては、後搬送路３２のうち直線状の水平部３３と湾曲した湾曲部３４との接続箇所に接続箇所Ｐ１を設け、当該接続箇所Ｐ１において後搬送路３２に対し追加搬送路３６を接続する場合について述べた。しかしながら本発明はこれに限らず、例えば直線状の水平部３３における途中部分に接続箇所Ｐ１を設け、当該接続箇所Ｐ１において後搬送路３２に対し追加搬送路３６を接続しても良い。第２の実施の形態についても同様である。
【０１１１】
さらに上述した第２の実施の形態においては、ローラ１４４に後搬送部１２２側の搬送ベルト１４０を張架することにより、当該ローラ１４４とローラ１７５との間に挟持した紙幣に対し、当該搬送ベルト１４０を介して駆動力を伝達する場合について述べた。しかしながら本発明はこれに限らず、例えばローラ１４４に搬送ベルト１４０を張架せず、その代わりに追加ユニット１６０側の追加搬送ベルト１６４（図１１）をローラ１７５に張架することにより、ローラ１４４と当該ローラ１７５との間に挟持した紙幣に対し、当該追加搬送ベルト１６４を介して駆動力を伝達するようにしても良い。
【０１１２】
さらに上述した第２の実施の形態においては、搬送幅３２Ｗ（図９）の範囲内においてローラ４１等の周側面に当接するように搬送ベルト１４０を張架し、後搬送路３２内を搬送される紙幣に当該搬送ベルト１４０を当接させて駆動力を伝達する場合について述べた。しかしながら本発明はこれに限らず、例えば搬送幅３２Ｗの範囲外に搬送ベルト１４０を張架し、当該搬送ベルト１４０から回転軸４１Ｘ及び４２Ｘ等を介してローラ４１及び４２等を回転させ、当該ローラ４１等を紙幣に当接させて駆動力を伝達しても良い。さらにこの場合、搬送ベルト１４０に代えて複数のギア等、周知の機構によって駆動力をローラ４１等に伝達しても良い。或いは、各ローラ４１等に対し、個別に設けたモータから駆動力を供給しても良い。
【０１１３】
さらに上述した第１の実施の形態においては、後搬送部２２に装着部３０を形成し、当該装着部３０に追加ユニット６０の切替追加搬送部６３を装着する場合について述べた。しかしながら本発明はこれに限らず、例えば前搬送部２１（図３）における前搬送路３１上に接続箇所Ｐ１を設け、この接続箇所Ｐ１を含むように装着部３０を設けても良い。第２の実施の形態についても同様である。
【０１１４】
さらに上述した第１の実施の形態においては、紙葉状の媒体である紙幣を顧客との間で取引する現金自動預払機１の紙幣入出金機１０において、搬送部１３の後搬送部２２に対し追加ユニット６０を着脱する箇所に本発明を適用する場合について述べた。しかしながら本発明はこれに限らず、例えば金券や証券、或いは入場券等の種々の媒体を取り扱う種々の装置において、この媒体を搬送して収納する種々の追加ユニットを着脱する箇所に適用しても良い。第２の実施の形態についても同様である。
【０１１５】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１６】
さらに上述した実施の形態においては、搬送部としての後搬送部２２と、装着部としての装着部３０と、固定ガイドとしての固定ガイド５０と、追加ユニットとしての追加ユニット６０とによって媒体搬送装置としての紙幣入出金機１０を構成する場合について述べた。しかしながら本発明はこれに限らず、その他種々の構成でなる搬送部と、装着部と、固定ガイドと、追加ユニットとによって媒体搬送装置を構成しても良い。
【０１１７】
さらに上述した実施の形態においては、搬送部としての後搬送部２２と、装着部としての装着部３０と、固定ガイドとしての固定ガイド５０と、追加ユニットとしての追加ユニット６０とによって媒体取引装置としての現金自動預払機１を構成する場合について述べた。しかしながら本発明はこれに限らず、その他種々の構成でなる搬送部と、装着部と、固定ガイドと、追加ユニットとによって媒体取引装置を構成しても良い。
【産業上の利用可能性】
【０１１８】
本発明は、例えば紙幣等の媒体を搬送する搬送部に対し、着脱可能な追加ユニットを装着することで当該媒体の収納空間を増設させるような、種々の装置でも利用できる。
【符号の説明】
【０１１９】
１、１０１……現金自動預払機、１０、１１０……紙幣入出金機、１３、１１３……搬送部、１６……紙幣収納庫、２０……一時保留切替部、２１……前搬送部、２２、１２２……後搬送部、３０、１３０……装着部、３１……前搬送路、３２……後搬送路、３３……水平部、３３Ａ、３３Ｂ、３４Ｂ、３５Ａ、３５Ｂ、３６Ａ、６５Ｂ、７１、７２……搬送ガイド、３４……湾曲部、３５……垂直部、３６……追加搬送路、４１、４２、４３、４４、６６Ａ、６６Ｂ、６７Ａ、６７Ｂ、６８Ａ、６８Ｂ、７５、１４４、１７５……ローラ、５０……固定ガイド、５１……前上部、５２……搬送ガイド、５３、７３……後面、６０、１６０……追加ユニット、６１……追加収納部、６１Ｓ……追加収納庫、６２……上追加搬送部、６３、１６３……切替追加搬送部、６５……上追加搬送路、６５Ｂ……搬送ガイド、６６、６７、６８、１７６……ローラ対、７７……切替器、１４０……搬送ベルト、１６４……追加搬送ベルト、Ｐ１……接続箇所。
【図１】
0006589389.tif 000002
【図２】
0006589389.tif 000003
【図３】
0006589389.tif 000004
【図４】
0006589389.tif 000005
【図５】
0006589389.tif 000006
【図６】
0006589389.tif 000007
【図７】
0006589389.tif 000008
【図８】
0006589389.tif 000009
【図９】
0006589389.tif 000010
【図１０】
0006589389.tif 000011
【図１１】
0006589389.tif 000012
【図１２】
0006589389.tif 000013
【図１３】
0006589389.tif 000014
【図１４】
0006589389.tif 000015